(57)【特許請求の範囲】
【請求項１】
多角形状をなすことにより形成される各面に設備機器及びその設備機器の操作内容が表示され、自動車に搭載される設備機器に設けられた当該設備機器を操作する操作部とは別に運転席側に設けられるとともに、回転及び傾動可能に設けられた操作手段と、
運転者に対して正面に位置する操作手段の面を検出する回転位置検出手段と、
操作手段の傾動方向を検出する傾動方向検出手段と、
回転位置検出手段にて検出された操作手段の面及び傾動方向検出手段にて検出された操作手段の傾動方向に基づいて制御対象となる設備機器を選択するとともに、その設備機器の操作内容を特定する操作制御信号を出力する操作制御手段と、
操作制御信号に基づいて設備機器を駆動制御する駆動制御手段とを備えた操作装置。
【請求項２】
前記操作手段は運転席側に設けられたハンドル又はハンドルコラムに、その回転軸が側方に延びるように設けられた請求項１記載の操作装置。
【請求項３】
前記操作手段は前後及び上下に傾動可能な請求項２記載の操作装置。
【請求項４】
前記設備機器はオーディオ装置及びエアコンである請求項１に記載の操作装置。
【発明の詳細な説明】
【０００１】
【産業上の利用分野】
本発明は自動車に搭載された設備機器を操作する操作装置に係り、詳しくは、オーディオ装置及びカーエアコン等の設備機器を操作するための操作装置。
【０００２】
【従来の技術】
従来、自動車における室内の前面パネル中央（運転席と助手席との中央）には、オーディオ装置を操作するオーディオ操作部及びカーエアコンを操作するエアコン操作部が設けられている。オーディオ操作部には、当該オーディオ装置を操作するための各種の操作スイッチが設けられている。エアコン操作部にはエアコンを操作するための各種の操作スイッチが設けられている。通常、運転者は運転席からこれら各種の操作スイッチを操作してオーディオ装置及びカーエアコンを操作する。
【０００３】
【発明が解決しようとする課題】
しかしながら、これらオーディオ操作部及びエアコン操作部の操作スイッチは運転席から比較的離れているので、操作し難いという問題がある。しかも、複数の各種スイッチが並べられているので、所望の機能を使用するためにどの操作スイッチを選ぶかという選択が難しいという問題がある。
【０００４】
本発明は上記問題点を解決するためになされたものであって、その目的は容易に運転席側から設備機器を操作することができる操作装置を提供することにある。
【０００５】
【課題を解決するための手段】
請求項１記載の発明は、多角形状をなすことにより形成される各面に設備機器及びその設備機器の操作内容が表示され、自動車に搭載される設備機器に設けられた当該設備機器を操作する操作部とは別に運転席側に設けられるとともに、回転及び傾動可能に設けられた操作手段と、運転者に対して正面に位置する操作手段の面を検出する回転位置検出手段と、操作手段の傾動方向を検出する傾動方向検出手段と、回転位置検出手段にて検出された操作手段の面及び傾動方向検出手段にて検出された操作手段の傾動方向に基づいて制御対象となる設備機器を選択するとともに、その設備機器の操作内容を特定する操作制御信号を出力する操作制御手段と、操作制御信号に基づいて設備機器を駆動制御する駆動制御手段とを備えたことをその要旨とする。
【０００６】
請求項２記載の発明は、請求項１記載の発明において、前記操作手段は運転席側に設けられたハンドル又はハンドルコラムに、回転軸が側方に延びるように設けられたことをその要旨とする。
【０００７】
請求項３記載の発明は、請求項２記載の発明において、前記操作手段は前後及び上下に傾動可能なことをその要旨とする。
請求項４記載の発明は、請求項１に記載の発明において、前記設備機器はオーディオ装置及びエアコンであることをその要旨とする。
【０００８】
【作用】
従って、請求項１記載の発明によれば、運転者が設備機器を操作する場合には運転席側に設けられた操作手段を回転及び傾動させる。すると、回転位置検出手段が運転者に対して正面に位置する操作手段の面を検出し、傾動方向検出手段が操作手段の傾動方向を検出する。操作制御手段は回転位置検出手段及び傾動方向検出手段の検出結果に基づいて制御対象となる設備機器を選択するとともに、その設備機器の操作内容を特定する操作制御信号を出力する。すると、駆動制御手段は操作制御信号に基づいて設備機器を駆動制御する。
【０００９】
請求項２記載の発明によれば、運転者は例えば自動車の運転中に、ハンドルを操作しながら容易に操作手段を操作できる。
請求項３記載の発明によれば、操作手段は前後及び上下に４方に傾動できるのでより多数の機能を操作できる。
【００１０】
【実施例】
以下、本発明を具体化した一実施例を図１〜図８に従って説明する。
図１に示すように、自動車１の室内２の前部はセンターコンソール３によって運転席側と助手席側とに区画され、運転席側には運転者が自動車１を操作するためのハンドル４が設けられている。又、室内２の前面に配設された前面パネル２ａの中央下部には設備機器としてのオーディオ装置５の装置本体５ａが嵌め込まれるとともに、その上部には設備機器としてのカーエアコン４６（図８参照：以下、「エアコン」という。）を操作するためのエアコン操作部（以下、「エアコン操作部」という。）６が設置されている。
【００１１】
オーディオ装置５は前記装置本体５ａ、室内２に設けられたスピーカー及びトランク内に設置されたＣＤ（コンパクトディスク）チェンジャー等から構成され、カセットテープ演奏機能、ＣＤ演奏機能及びＡＭ／ＦＭラジオ機能の３機能を備えている。そして、オーディオ装置本体５ａの正面部はこれら各機能を操作する操作部（以下、「オーディオ操作部」）７となっている。一方、エアコン４６は室内２の冷暖房等の空調を管理する設備であって、室内２の各部位にはエアコン４６からの空気を室内２に送風する送風口８が設けられている。
【００１２】
図４は、前記オーディオ操作部７の正面図を示している。オーディオ操作部７には演奏用のカセットテープを挿入するためのテープ差し込み口９及び各種演奏情報を表示するためのディスプレイ１０が設けられている。更に、オーディオ操作部７にはオーディオ装置５の各種機能を操作するための各種操作スイッチが設けられている。例えばオーディオ操作部７には各種操作スイッチとして、電源スイッチ１１、ＡＭ／ＦＭ受信バンド切替えスイッチ（以下、「バンド切替えボタン」という。）１２、テープ選択スイッチ１３、ＣＤ選択スイッチ１４、音量調節スイッチ１５、選曲スイッチ１６及びプリセットスイッチ１７が設けられている。
【００１３】
電源スイッチ１１は電源をオン・オフするためのスイッチである。バンド切替えスイッチ１２はＡＭ／ＦＭラジオのいずれかのバンドを選択するためのスイッチである。テープ選択スイッチ１３はカセットテープ演奏機能を選択するためのスイッチである。ＣＤ選択スイッチ１４はＣＤ演奏機能を選択するためのスイッチである。音量調節スイッチ１５はスピーカーからの音量を調節するスイッチである。選曲スイッチ１６はカセットテープやＣＤに録音された音楽等を選曲したり、ラジオの周波数を所定の周波数に合わせるためのスイッチである。プリセットスイッチ１７は、カセットテープの走行を切替えるためのスイッチである。
【００１４】
図５は、エアコン操作部６を示す正面図である。エアコン操作部６には、エアコンの操作状態等を表示するディスプレイ１８が設けられている。例えばディスプレイ１８には、どの送風口８から送風されているかを示す送風位置、その送風口８から送風される風量、現在の室内温度等が表示される。
【００１５】
このエアコン操作部６には、温度設定スイッチ１９、内外気スイッチ２０、風量調節スイッチ２１及び送風口選択スイッチ２２が設けられている。温度設定スイッチ１９は室内２の温度を調節するためのスイッチである。内外気スイッチ２０はエアコン内に室内２の空気を取り入れるか、外部からの空気を取り入れるかを選択するスイッチである。風量調節スイッチ２１は送風口８から送風される空気の量を調節するためのスイッチである。送風口選択スイッチ２２は空気を送風するための送風口８を選択するためのスイッチである。
【００１６】
図１，図２に示すように、前記ハンドル４と前面パネルとの間には、ハンドル４の回転を伝達する為の回転軸等を覆うように保護するハンドルコラム２３が取り付けられている。このハンドルコラム２３の左側側部、即ち、ウインカー操作スイッチ２４とは反対側にはオーディオ装置５及びエアコン４６を操作するための回転式切替えスイッチ（以下、単に「切替えスイッチ」という。）３１が左方に延びるように設けられている。この切替えスイッチ３１は図３に示すように略直方体状に形成され、左右方向に延びる回転軸Ｌを中心に回転可能に取り付けられている。この回転軸Ｌと平行な４面は、前記オーディオ装置５及びエアコン４６を操作するための第１オーディオ操作面３１ａ、第２オーディオ操作面３１ｂ，第１エアコン操作面３１ｃ及び第２エアコン操作面３１ｄをそれぞれ形成している。そして、これら各操作面３１ａ〜３１ｄを設定回転位置に位置決めすることにより、その設定回転位置に位置決めされた操作面３１ａ〜３１ｄが操作すべき対象を操作できるようになっている。この設定回転位置は、操作面３１ａ〜３１ｄが運転者、即ち、運転席側に向く位置である。
【００１７】
又、この操作面３１ａ〜３１ｄにはそれぞれの操作面を示す名称及び操作機能等が記載されている。例えば第１オーディオ操作面３１ａには、その名称として「オーディオ▲１▼」、操作機能として「▲  ＶＯＬ  ▼」等が記載されている。更に、各操作面３１ａ〜３１ｄには識別部Ｇが形成されている。即ち、この識別部Ｇとして第１オーディオ操作面３１ａには１つの凸部が形成され、第２オーディオ操作面３１ｂには２つの凸部が形成されている。又、識別部Ｇとして第１エアコン操作面３１ｃには１つの凹部が形成され、第２エアコン操作面３１ｄには２つの凹部が形成されている。
【００１８】
更に、この切替えスイッチ３１はハンドルコラム２３に連結された連結部２３ａを中心に、前後及び上下に傾動できるようになっている。即ち、スイッチ３１を前後及び上下に傾動させることによって、設定回転位置に位置する操作面３１ａ〜３１ｄが示す操作機器の各種機能を操作することができる。
【００１９】
図６に示すように、その連結部２３ａの近接する位置には切替えスイッチ３１の上下及び前後の傾動を検出する傾動方向検出手段としてのスイッチ３２〜３５が設けられている。即ち、連結部２３ａの上部には切替えスイッチ３１の上傾動を検出する上傾動スイッチ３２が設けられ、下部には切替えスイッチ３１の下傾動を検出する下傾動スイッチ３３が設けられ、前部には切替えスイッチ３１の前傾動を検出する前傾動スイッチ３４が設けられ、後部には切替えスイッチ３１の後傾動を検出する後傾動スイッチ３５が設けられている。
【００２０】
又、図７に示すように、切替えスイッチ３１の回転位置を検出する回転位置検出装置３７は、切替えスイッチ３１内に設けられている。そして、切替えスイッチ３１を回転可能に支持する軸部材３６ａには被検出部３８が設けられている。又、スイッチ３１の内壁には、回転位置検出手段としての第１〜第４リミットスイッチ４２〜４５が設置されている。即ち、第１リミットスイッチ４２が被検出部３８を検出してオンした場合には、第１オーディオ操作面３１ａが設定回転位置に位置する。第２リミットスイッチ４３が被検出部３８を検出してオンした場合には、第２オーディオ操作面３１ｂが設定回転位置に位置する。第３リミットスイッチ４４が被検出部３８を検出してオンした場合には、第１エアコン操作面３１ｃが設定回転位置に位置する。第４リミットスイッチ４５が被検出部３８を検出してオンした場合には、第２エアコン操作面３１ｄが設定回転位置に位置する。
【００２１】
第１オーディオ操作面３１ａは、オーディオ操作部７の電源スイッチ１１及び音量調節スイッチ１５に対応する操作面である。第２オーディオ操作面３１ｂは、オーディオ操作部７のプリセットスイッチ１７及び選曲スイッチ１６に対応する操作面である。第１エアコン操作面３１ｃは、オーディオ操作部７の内外気スイッチ２０及び温度調節スイッチ１９に対応する操作面である。第２エアコン操作面３１ｄは、オーディオ操作部７の送風口選択スイッチ２２及び風量調節スイッチ２１に対応する操作面である。
【００２２】
次に、操作装置の電気的構成について説明する。
図８に示すように、操作制御手段としての操作マイコン４１には、切替えスイッチ３１が接続されている。即ち、操作マイコン４１には、上傾動検出スイッチ３２、下傾動検出スイッチ３３、前傾動検出スイッチ３４、後傾動検出スイッチ３５、第１リミットスイッチ４２、第２リミットスイッチ４３、第３リミットスイッチ４４、第４リミットスイッチ４５が接続されている。
【００２３】
操作マイコン４１には、オーディオ装置５及びエアコン４６が接続されている。オーディオ装置５にはそのオーディオ装置５を駆動制御する駆動制御手段としてのオーディオマイコン４７が設けられ、オーディオマイコン４７は前記操作マイコン４１に接続されている。更に、オーディオマイコン４７には前記オーディオ操作部７が接続されている。即ち、オーディオマイコン４７には電源スイッチ１１、バンドスイッチ１２、テープ選択スイッチ１３、ＣＤ選択スイッチ１４、音量調節スイッチ１５、選曲スイッチ１６及びプリセットスイッチ１７が接続されている。
【００２４】
そして、これら各スイッチ１１〜１７はオーディオマイコン４７に制御操作信号として以下の信号を出力するようになっている。電源スイッチ１１は電源オン信号及び電源オフ信号を出力する。バンドスイッチ１２はＡＭ／ＦＭラジオを選択するための信号であって、ＡＭラジオ選択信号及びＦＭラジオ選択信号を出力する。テープ選択スイッチ１３はオーディオ装置５にテープ演奏をさせるためのテープ選択信号を出力する。ＣＤ選択スイッチ１４はオーディオ装置５にＣＤ演奏をさせるためのＣＤ演奏信号を出力する。音量調節スイッチ１５は音量を上げ下げするための音量信号を出力する。選曲スイッチ１７はカセットテープの早送り等をさせるための後選曲信号及びカセットテープの巻き戻し等をさせるための前選曲信号を出力する。
【００２５】
又、エアコン４６にはそのエアコン４６を駆動制御する駆動制御手段としてのエアコンマイコン４８が設けられ、エアコンマイコン４８は前記操作マイコン４１に接続されている。エアコンマイコン４８には前記エアコン操作部６が接続されている。即ち、エアコンマイコン４８には温度設定スイッチ１９、内外気スイッチ２０、風量調節スイッチ２１、送風口選択スイッチ２２が接続されている。
【００２６】
そして、これら各スイッチ１９〜２２は操作制御信号をエアコンマイコン４８に出力するようになっている。即ち、温度設定スイッチ１９は室内２の温度を上げ下げするための温度設定信号を出力する。内外気スイッチ２０は室内２の空気をエアコン４６に取り込むための内気信号及び外部の空気をエアコン４６に取り込むための外気信号を出力する。風量調節スイッチ２１は送風口８から送風される空気の量を調整する風量信号を出力する。送風口選択信号は空気を選択するための送風口選択信号を出力する。
【００２７】
これらオーディオ操作部７及びエアコン操作部６の各スイッチ１１〜１７，１８〜２２から出力される上記操作制御信号は、切替えスイッチ３１の上下前後の各切替えスイッチ３２〜３５及び第１〜第４リミットスイッチ４２〜４５の操作に基づいて操作マイコン４１から出力できるようになっている。
【００２８】
そして、操作制御信号が出力されたオーディオマイコン４７及びエアコンマイコン４８は、その操作制御信号に基づいてオーディオ装置５及びエアコン４６を駆動制御するようになっている。
【００２９】
次に、上記のように構成された切替えスイッチ３１を使用して、オーディオ装置５及びエアコン４６を操作する場合の作用及び効果について説明する。
切替えスイッチ３１を回転させ、第１オーディオ操作面３１ａが設定回転位置に位置決めされると、第１リミットスイッチ４２がオンする。すると、第１リミットスイッチ４２は操作マイコン４１にオン信号を出力する。そして、操作マイコン４１はこのオン信号に基づいて切替えスイッチ３１の第１オーディオ操作面３１ａが設定回転位置にあると判断する。この時、操作マイコン４１は第１オーディオモードに設定される。
【００３０】
切替えスイッチ３１を回転させ、第２オーディオ操作面３１ｂが設定回転位置に位置決めされると、第２リミットスイッチ４３がオンする。すると、第２リミットスイッチ４３は操作マイコン４１にオン信号を出力する。そして、操作マイコン４１はこのオン信号に基づいて切替えスイッチ３１の第２オーディオ操作面３１ｂが設定回転位置にあると判断する。この時、操作マイコン４１は第２オーディオモードに設定される。
【００３１】
切替えスイッチ３１を回転させ、第３オーディオ操作面３１ｃが設定回転位置に位置決めされると、第３リミットスイッチ４４がオンする。すると、第３リミットスイッチ４４は操作マイコン４１にオン信号を出力する。そして、操作マイコン４１はこのオン信号に基づいて切替えスイッチ３１の第１エアコン操作面３１ｃが設定回転位置にあると判断する。この時、操作マイコン４１は第１エアコンモードに設定される。
【００３２】
切替えスイッチ３１を回転させ、第３オーディオ操作面３１ｃが設定回転位置に位置決めされると、第３リミットスイッチ４４がオンする。すると、第４リミットスイッチ４５は操作マイコン４１にオン信号を出力する。そして、操作マイコン４１はこのオン信号に基づいて切替えスイッチ３１の第１エアコン操作面３１ｄが設定回転位置にあると判断する。この時、操作マイコン４１は第２エアコンモードに設定される。
【００３３】
前記第１オーディオモード時において、切替えスイッチ３１を前傾動して、前傾動スイッチ３４をオンさせると、そのオン信号が操作マイコン４１に出力され、操作マイコン４１は選択信号をオーディオマイコン４７に出力する。即ち、切替えスイッチ３１を１回前傾動して、１回前傾動スイッチ３４をオンさせると、ＡＭラジオ選択信号をオーディオマイコン４７に出力する。切替えスイッチ３１を２回前傾動して、２回前傾動スイッチ３４をオンさせると、操作マイコン４１はＦＭラジオ選択信号をオーディオマイコン４７に出力する。切替えスイッチ３１を３回前傾動して、３回前傾動スイッチ３４をオンさせると、操作マイコン４１はテープ選択信号をオーディオマイコン４７に出力する。切替えスイッチ３１を４回前傾動して、４回前傾動スイッチ３４をオンさせると、操作マイコン４１はＣＤ選択信号をオーディオマイコン４１に出力する。以下、この順番に従って順次サイクリックに各機能を選択するための選択信号が出力される。
【００３４】
オーディオマイコン４７はＡＭラジオ選択信号に基づいてオーディオ装置５に対してＡＭラジオ機能を作動させる。オーディオマイコン４７はＦＭラジオ選択信号に基づいてオーディオ装置５にＦＭラジオ機能を作動させる。オーディオマイコン４７はテープ選択信号に基づいてオーディオ装置５にテープ演奏機能を作動させる。オーディオマイコン４７はＣＤ選択信号に基づいてオーディオ装置５に対してＣＤ演奏機能を作動させる。
【００３５】
第１オーディオモードにおいて、上記ラジオ機能、テープ演奏機能、ＣＤ演奏機能の３機能の内のいずれかが作動している時に、切替えスイッチ３１を上傾動して上傾動検出スイッチ３２をオンさせると、そのオン信号は操作マイコン４１に出力され、操作マイコン４１は音量を上げるための音量信号をオーディオマイコン４７に出力する。すると、オーディオマイコン４７はオーディオ装置５の音量を上げる。又、切替えスイッチ３１を下傾動させて下傾動検出スイッチ３３をオンさせると、そのオン信号は操作マイコン４１に出力され、操作マイコン４１は音量を下げるための音量信号をオーディオマイコン４７に出力する。すると、オーディオマイコン４７はオーディオ装置５の音量を下げる。
【００３６】
第２オーディオモードにおいて、ラジオ機能が作動している時、前及び後傾動スイッチ３４，３５のいずれかがオンし、そのオン信号が操作マイコン４１に出力されても、操作マイコン４１はオーディオ装置５に何らの信号も出力しない。従って、オーディオ装置５は現状の状態を保持する。
【００３７】
第２オーディオモードにおいて、ラジオ機能が作動している時、上傾動スイッチ３２がオンすると、上傾動スイッチ３２はそのオン信号を操作マイコン４１に出力する。操作マイコン４１はこのオン信号に基づいて後選曲信号を出力する。オーディオマイコン４７は後選曲信号が出力されると、放送中のラジオ局の周波数を低い周波数から高い周波数へと順に探し（シークし）、放送中のラジオ局を探し当てると、シーク作業を中止し、そのラジオ局の放送を開始する。又、下傾動スイッチ３３がオンすると、下傾動スイッチ３３はそのオン信号を操作マイコン４１に出力する。操作マイコン４１はこのオン信号に基づいて前選曲信号を出力する。オーディオマイコン４７は前選曲信号が出力されると、放送中のラジオの周波数を高い周波数から低い周波数へと順にシークし、放送中のラジオ局を探し当てると、シーク作業を中止し、そのラジオ局の放送を開始する。
【００３８】
第２オーディオモードにおいて、カセットテープ演奏機能が作動している時、前傾動スイッチ３４がオンすると、前傾動スイッチ３４は操作マイコン４１にオン信号を出力する。操作マイコン４１はこのオン信号に基づいてプリセット信号をオーディオマイコン４７に出力する。オーディオマイコン４７はプリセット信号が出力されると、演奏中のカセットテープの走行面を逆転する。又、後傾動スイッチ３５がオンすると、後傾動スイッチ３５は操作マイコン４１にオン信号を出力する。しかしながら、操作マイコン４１はこのオン信号に基づいて操作制御信号をオーディオマイコン４７に出力しない。
【００３９】
第２オーディオモードにおいて、カセットテープ演奏機能が作動している時、上傾動スイッチ３２がオンすると、操作マイコン４１は後選曲信号をオーディオマイコン４７に出力する。すると、オーディオマイコン４７は後選曲信号に基づいてカセットテープを早送りさせる。下傾動スイッチ３３がオンすると、操作マイコン４１は前選曲信号をオーディオマイコン４７に出力する。すると、オーディオマイコン４７は前選曲信号に基づいてカセットテープを巻き戻す。
【００４０】
第２オーディオモードにおいて、ＣＤ演奏機能が作動している時、前傾動スイッチ３４がオンすると、前傾動スイッチ３４は操作マイコン４１にオン信号を出力する。操作マイコン４１はそのオン信号に基づいてオーディオマイコン４７にプリセット信号を出力する。すると、オーディオマイコン４７はプリセット信号に基づいてオーディオ装置５にＣＤチェンジャに搭載された各ＣＤの１曲目のイントロ部を順次演奏させる。このＣＤ演奏機能時においては、後傾動スイッチ３５がオンしても操作マイコン４１は操作制御信号を出力しない。
【００４１】
第２オーディオモードにおいて、ＣＤ演奏機能が作動している時、上傾動スイッチ３２がオンすると、そのオン信号が操作マイコン４１に出力される。操作マイコン４１はそのオン信号に基づいて後選曲信号をオーディオマイコン４７に出力する。すると、オーディオマイコン４７は後選曲信号に基づいて演奏中のＣＤの選曲を行う。この場合、演奏されている曲よりも後のＣＤの曲が順次選曲される。又、下傾動スイッチ３３がオンすると、そのオン信号が操作マイコン４１に出力される。操作マイコン４１はそのオン信号に基づいて先選曲信号が出力される。すると、オーディオマイコン４７は、先選曲信号に基づいて演奏中のＣＤの中での曲の選曲を行う。この場合、演奏中の曲よりも前の曲の選曲を行う。
【００４２】
第１エアコンモードにおいて、切替えスイッチ３１を前傾動させて、前傾動スイッチ３４がオンすると、そのオン信号が操作マイコン４１に出力される。操作マイコン４１はそのオン信号に基づいて内気信号をエアコンマイコン４８に出力する。エアコンマイコン４８は内気信号に基づいて室内２の空気をエアコン内に取り込むことによって室内２の空調を制御する。
【００４３】
第１エアコンモードにおいて、切替えスイッチ３１を後傾動させて、後傾動スイッチ３５がオンすると、そのオン信号を操作マイコン４１に出力する。操作マイコン４１はそのオン信号に基づいて外気信号をエアコンマイコン４８に出力する。エアコンマイコン４８は外気信号に基づいて室外の空気をエアコン内に取り込むことによって室内２の空調を制御する。
【００４４】
第１エアコンモードにおいて、切替えスイッチ３１を上傾動させて、上傾動スイッチ３２がオンすると、上傾動スイッチ３２はオン信号を操作マイコン４１に出力する。すると、操作マイコン４１は温度上げるための温度設定信号をエアコンマイコン４８に出力する。エアコンマイコン４８は温度設定信号が出力されると、その温度設定信号に基づいてエアコン４６の設定温度を上げる。切替えスイッチ３１を下傾動させて、下傾動スイッチ３３がオンすると、下傾動スイッチ３３はオン信号を操作マイコン４１に出力する。すると、操作マイコン４１は温度を下げるための温度設定信号をエアコンマイコン４８に出力する。エアコンマイコン４８は、温度設定信号が出力されると、エアコン４６の設定温度を下げる。
【００４５】
第２エアコンモードにおいて、切替えスイッチ３１を前後に傾動させて、前又は後傾動スイッチ３２をオンさせると、そのオン信号が操作マイコン４１に出力される。操作マイコン４１はそのオン信号に基づいて送風口選択信号をエアコンマイコン４８に出力する。エアコンマイコン４８は送風口選択信号に基づいてエアコン４６の送風口８を選択する。
【００４６】
第２エアコンモードにおいて、切替えスイッチ３１を上傾動させて、上傾動スイッチ３２をオンさせると、そのオン信号が操作マイコン４１に出力される。操作マイコン４１はそのオン信号に基づいてエアコンマイコン４８に風量を増すための風量信号を出力する。エアコンマイコン４８はその風量信号に基づいて風量を増大させる。
【００４７】
第２エアコンモードにおいて、切替えスイッチ３１を下傾動させて、下傾動スイッチ３２をオンさせると、そのオン信号が操作マイコン４１に出力される。操作マイコン４１はそのオン信号に基づいてエアコンマイコン４８に風量を減らすための風量信号を出力する。エアコンマイコン４８はその風量信号に基づいて風量を減少させる。
【００４８】
又、オーディオ操作部７及びエアコン操作部６から出力される操作制御信号に従ってオーディオマイコン４７及びエアコンマイコン４８は、切替えスイッチ３１から操作制御信号が出力された場合と同様の制御を行う。
【００４９】
従って、本実施例によれば、切替えスイッチ３１を操作することによって容易にオーディオ装置５及びエアコン４６を操作することができる。各操作面３１ａ〜３１ｄにはその操作面３１ａ〜３１ｄにて操作できる設備及び機能等が表示されているので、運転者はより正確及び容易にオーディオ装置５及びエアコン４６を操作できる。
【００５０】
切替えスイッチ３１は、運転者が自動車の運転時に操作するハンドル４の側部に設置されているので、自動車の運転時に容易に切替えスイッチ３１を操作できる。又、各操作面３１ａ〜３１ｄにはそれぞれの操作面を識別するための識別部が設けられているので、その識別部の感触によって容易に各操作面３１ａ〜３１ｄを識別できる。
【００５１】
切替えスイッチ３１は上下及び前後に４方へ傾動できるので、１つの操作面３１ａ〜３１ｄで４つの機能を操作することができ、切替えスイッチ３１の操作性を向上できる。
【００５２】
尚、本発明は上記実施例に限定されるものではなく、発明の趣旨を逸脱しない範囲で、適宜に変更して次のように実施することもできる。
（１）上記実施例において、切替えスイッチ３１の回転位置を例えばロータリーエンコーダにて検出してもよい。
【００５３】
（２）上記実施例において、切替えスイッチ３１は断面四角形状の直方体状に形成されたが、断面３角形状の三角柱又は多角柱形状からなるスイッチであってもよい。例えば多角形状のスイッチを使用することによって、多数の機能を切替えスイッチ３１に振り分けることができる。
【００５４】
（３）上記実施例において、切替えスイッチをセンターコンソール３に設けてもよい。
（４）上記実施例において、設定回転位置は運転者に対して正面となる位置に限らず、例えば切替えスイッチ３１の上部に位置する操作面３１ａ〜３１ｄであってもよい。
【００５６】
【発明の効果】
以上詳述したように各請求項に記載の発明によれば、運転席側に設けた操作手段の操作に基づいて容易に設備機器を駆動できる。請求項２記載の発明によれば、運転者は例えば自動車の運転中に、ハンドルを操作しながら容易に操作手段を操作できる。請求項３記載の発明によれば、操作手段は前後及び上下に４方に傾動できるのでより多数の機能を操作できる。請求項４記載の発明によれば、容易にオーディオ装置及びエアコンを駆動制御できる。
【図面の簡単な説明】
【図１】  室内を示す概略斜視図。
【図２】  切替えスイッチの取付位置を示す正面図。
【図３】  切替えスイッチのを示す斜視図。
【図４】  オーディオ操作部を示す正面図。
【図５】  エアコン操作部を示す正面図。
【図６】  切替えスイッチの上下前後の傾動を検出する各スイッチを示す模式図。
【図７】  回転位置検出器を示す断面図。
【図８】  切替え装置の電気ブロック図。
【符号の説明】
４…ハンドル、５…設備機器としてのオーディオ装置、６…エアコン操作部、７…オーディオ操作部、３１…切替えスイッチ、３２〜３５…傾動方向検出手段としての上下前後傾動スイッチ、４１…操作制御手段としての操作マイコン、４２〜４５…回転角度検出手段としての第１〜第４リミットスイッチ、４６…設備機器としてのエアコン、４７…駆動制御手段としてのオーディオマイコン、４８…駆動制御手段としてのエアコンマイコン。
【図１】
0003710839.tif 000002
【図２】
0003710839.tif 000003
【図３】
0003710839.tif 000004
【図４】
0003710839.tif 000005
【図５】
0003710839.tif 000006
【図６】
0003710839.tif 000007
【図７】
0003710839.tif 000008
【図８】
0003710839.tif 000009